(57)【要約】【課題】  耐衝撃性能に対して十分に信頼性を得ることのできる携帯型電子機器のインシュレーターを提供する。【解決手段】  携帯型電子機器のインシュレーター２はハードディスク１とハードディスク支持体３との間に介在されていてハードディスク１かかる衝撃を吸収する。インシュレーター２は、コ字状のベース部を構成する第１のインシュレーター構成部材１１と、第１のインシュレーター構成部材１１よりも低硬度の素材で作られた第２のインシュレーター構成部材１２と、を備えている。第２のインシュレーター構成部材１２は、第１のインシュレーター構成部材１１のハードディスク支持体３と対向する面から略半球形状または錐形状に突出して頂部がハードディスク支持体３に接触する。【選択図】  図３
2006153108.tif 000002
【特許請求の範囲】
【請求項１】
電子部品と電子部品支持体との間に介在されていて前記電子部品にかかる衝撃を吸収する携帯型電子機器のインシュレーターであって、
前記インシュレーターは、第１のインシュレーター構成部材と、該第１のインシュレーター構成部材よりも低硬度の素材で作られた第２のインシュレーター構成部材と、を備え、
前記第２のインシュレーター構成部材は、前記第１のインシュレーター構成部材の前記電子部品支持体と対向する面から略半球形状または錐形状に突出して先端部が前記電子部品支持体に接触することを特徴とする携帯型電子機器のインシュレーター。
【請求項２】
前記第１のインシュレーター構成部材は、断面略コ字状に形成されていて、前記電子部品の側部に嵌合されて内周面が前記電子部品の外周面に面接触し、前記第２のインシュレーター構成部材は、前記断面略コ字状の第１のインシュレーター構成部材の長さ方向に所定の間隔をもって複数設けられていて先端部が前記電子部品支持体の内面に接触することを特徴とする請求項１に記載の携帯型電子機器のインシュレーター。
【請求項３】
前記第２のインシュレーターは、球形状に形成されていて、一部が前記第１のインシュレーター構成部材の外面から突出し、他部が前記第１のインシュレーター構成部材内に埋設されていることを特徴とする請求項１に記載の携帯型電子機器のインシュレーター。
【請求項４】
前記第１のインシュレーター構成部材と前記第２のインシュレーター構成部材は、高硬度の合成樹脂と、これよりも低硬度の合成樹脂の２色成形により一体的に形成されていることを特徴とする請求項１に記載の携帯型電子機器のインシュレーター。
【請求項５】
電子部品と電子部品支持体との間に介在されていて前記電子部品にかかる衝撃を吸収する携帯型電子機器のインシュレーターであって、
前記インシュレーターは、第１のインシュレーター構成部材と、該第１のインシュレーター構成部材よりも低硬度の素材で作られた第２のインシュレーター構成部材と、を備え、
前記第２のインシュレーター構成部材は、前記電子部品と対向する面から略半球形状または錐形状に突出して先端部が前記電子部品に接触することを特徴とする携帯型電子機器のインシュレーター。
【請求項６】
前記第１のインシュレーター構成部材は、断面略コ字状に形成されていて、前記電子部品の側部に嵌合されて外周面が前記電子部品支持体の内面に面接触し、前記第２のインシュレーター構成部材は、前記第１のインシュレーター構成部材の長さ方向に所定の間隔をもって複数設けられていて前記第１のインシュレーター構成部材の前記電子部品と対向する面から突出した部分の先端部が前記電子部品の外周面に接触することを特徴とする請求項５に記載の携帯型電子機器のインシュレーター。
【請求項７】
前記第２のインシュレーターは、球形状に形成されていて一部が前記第１のインシュレーター構成部材の外面から突出し、他部が前記第１のインシュレーター構成部材内に埋設されていることを特徴とする請求項６に記載の携帯型電子機器のインシュレーター。
【請求項８】
前記第１のインシュレーター構成部材と前記第２のインシュレーター構成部材は、高硬度の合成樹脂と、これよりも低硬度の合成樹脂の２色成形により一体的に形成されていることを特徴とする請求項５に記載の携帯型電子機器のインシュレーター。
【請求項９】
電子部品と電子部品支持体との間に介在されていて前記電子部品にかかる衝撃を吸収する携帯型電子機器のインシュレーターであって、
前記インシュレーターは、第１のインシュレーター構成部材と、該第１のインシュレーター構成部材よりも低硬度の素材で作られた第１のインシュレーター構成部材と、を備え、
前記第２のインシュレーター構成部材は、前記第１のインシュレーター構成部材の前記電子部品支持体と対向する面から突出して該突出部の先端部が前記電子部品支持体に接触する電子部品支持体接触部と、前記第１のインシュレーター構成部材の前記電子部品と対向する面から突出して該突出部の先端部が前記電子部品に接触する電子部品接触部を備えていることを特徴とする携帯型電子機器のインシュレーター。
【発明の詳細な説明】
【技術分野】
【０００１】
本発明は、携帯型電子機器のインシュレーター、特にハードディスク等の衝撃に弱い電子部品を衝撃から保護するインシュレーターに関する。
【背景技術】
【０００２】
携帯型電子機器として、例えば携帯電話機、電子手帳、ポータブルＭＤ、デジタルカメラ、音楽配信用の携帯端末としてのホータブルミュージックプレーヤーなど様々なものが知られている。携帯型電子機器は、カバンやポケット等に入れて持ち運ぶという性質上、衝撃を受けやすい。前記携帯型電子機器にはハードディスク等の衝撃に弱い電子部品が多々使用されている。
【０００３】
そこで、衝撃に弱い電子部品、例えばハードディスクは、図１０、図１１に示すように、ハードディスク１０１の左右の側辺１０１ａ，１０１ｂに沿ってインシュレーター１０２を取り付け、或いはハードディスク１０１の四隅にインシュレーター１０２を取り付け、前記インシュレーター１０２を介してハードディスク支持体１０３に取り付ける。そして、ハードディスク支持体１０３の外部からの衝撃をインシュレーター１０２で吸収してハードディスク１０１を保護するようになっている。
【０００４】
前記インシュレーター１０２は、同一の素材により断面略コ字状に、且つ全長に亘って同じ厚さTに形成されていて、該断面略コ字状のインシュレーター１０２の内周面が前記ハードディスク１０１の周縁部に面接触するようになっている。なお、落下時におけるケースの損傷や内部の電子回路の損傷を防止するために、樹脂成形された複数のケース部材を接合して構成されるケース内に電子部品を収容する小型機器のケース構造において、前記ケース部材の接合部位に２色成形によりエラストマからなる衝撃緩衝部材を設け、該衝撃緩衝部材を前記接合されたケース部材の接合部に介在させたものが知られている。（例えば特許文献１）
【特許文献１】特開２０００−１５１１３６号公報
【発明の開示】
【発明が解決しようとする課題】
【０００５】
ところで、前記携帯型電子機器のインシュレーター１０２には、次に述べるような問題点があった。
（１）前記インシュレーター１０２は、柔らかければ柔らかい程、即ち、硬度が小さければ小さい程、衝撃吸収効果は向上する反面、衝撃による撓み量が増大する。このため、携帯型電子機器の大きさによっては、スペース的な制約によって前記インシュレーター１０２の撓み量を多く取れない（前記インシュレーター１０２の厚さTを厚くできない）場合がある。このような場合には、衝撃吸収効果を犠牲にして、前記インシュレーター１０２の硬度を選択しなければならない。
（２）図１２に示すように、前記インシュレーター１０２の外面に低硬度の衝撃吸収材１０４を取り付けたものも開発されているが、前記衝撃吸収材１０４はシート状に形成されていて前記ハードディスク支持体１０３の内周面に面接触しているために、低い衝撃力や高周波振動に対しては前記衝撃吸収材１０４が十分に撓まず衝撃吸収効果が減殺されてしまう。
（３）一般にハードディスク１０１は、記録／再生用駆動部の非動作時には、記録／再生用駆動部が保持機構により保持されているために耐衝撃力が強く、動作時においては衝撃力が弱くなる。動作時にある一定の加速度以上の加速度を受けた場合には、これを加速度センサによって検知して保持機構で保持するようにソフト的に制御することが可能であるが、前記一定の加速度に満たない低い衝撃力を受けた場合、例えば携帯型電子機器を机の上にコトンと置いた時の衝撃、携帯しているときの振動、１５ｃｍぐらいの高さから落としたときの衝撃が加わった場合などには、前記インシュレーター１０２で十分に衝撃を吸収する必要がある。しかし、従来のインシュレーターは、単一の素材で形成されているために動作時と非動作時の両方において最適な硬度にすることは困難である。
【０００６】
以上の各問題点により、ハードディスクを使用した携帯型電子機器においては、ハードディスクを使用しない携帯型電子機器に比べて耐衝撃性能等が不十分になりやすく、斯かる点でユーザーの信頼性が十分でなく、このためハードディスクを使用した携帯型電子機器においては、耐衝撃性能に対して十分な信頼性を得ることができるようにすることが最大の課題とされていた。
【０００７】
本発明の目的は、耐衝撃性能に対して十分に信頼性を得ることのできる携帯型電子機器のインシュレーターを提供することにある。
【課題を解決するための手段】
【０００８】
請求項１の発明は、ハードディスク等の衝撃に弱い電子部品と電子部品支持体との間に介在されていて前記電子部品にかかる衝撃を吸収する携帯型電子機器のインシュレーターにおいて、前記インシュレーターを、第１のインシュレーター構成部材と、該第１のインシュレーター構成部材よりも低硬度の素材で作られた第２のインシュレーター構成部材と、で構成し、前記第２のインシュレーター構成部材を、前記第１のインシュレーター構成部材の前記電子部品支持体と対向する面から略半球形状または錐形状に突出させて、その先端部を前記電子部品支持体に接触させた。
【０００９】
請求項２の発明は、請求項１の携帯型電子機器のインシュレーターにおいて、前記第１のインシュレーター構成部材を、断面略コ字状に形成し、前記電子部品の側部に嵌合したときに内周面を前記電子部品の外周面に面接触させた。また、前記第２のインシュレーター構成部材を、前記第１のインシュレーター構成部材の長さ方向に所定の間隔をもって複数形成して、これら複数の略半球形状または錐形状の第２のインシュレーター構成部材の先端部を前記電子部品支持体の内面に接触させた。
【００１０】
請求項３の発明は、請求項１の携帯型電子機器のインシュレーターにおいて、前記第２のインシュレーターを球形状に形成し、その一部を前記第１のインシュレーター構成部材の外面から突出させ、他部を前記第１のインシュレーター構成部材内に埋設した。
【００１１】
請求項４の発明は、請求項２の携帯型電子機器のインシュレーターにおいて、前記第１のインシュレーター構成部材と前記第２のインシュレーター構成部材を、高硬度の合成樹脂と、これよりも低硬度の合成樹脂の２色成形により一体的に形成した。
【００１２】
請求項５の発明は、電子部品と電子部品支持体との間に介在されていて前記電子部品にかかる衝撃を吸収する携帯型電子機器のインシュレーターにおいて、前記インシュレーターを、第１のインシュレーター構成部材と、該第１のインシュレーター構成部材よりも低硬度の素材で作られた第２のインシュレーター構成部材と、で構成し、前記第２のインシュレーター構成部材を、前記電子部品と対向する面から略半球形状または錐形状に突出させ、その先端部を前記電子部品に接触させた。
【００１３】
請求項６の発明は、請求項５の携帯型電子機器のインシュレーターにおいて、前記第１のインシュレーター構成部材を、断面略コ字状に形成し、前記電子部品支持体内に嵌合したときに外周面を前記電子部品支持体の内面に面接触させた。また、前記第２のインシュレーター構成部材を、前記第１のインシュレーター構成部材の長さ方向に所定の間隔をもって複数形成して、これら複数の第２のインシュレーター構成部材の先端部を前記電子部品の外周面に接触させた。
【００１４】
請求項７の発明は、請求項５の携帯型電子機器のインシュレーターにおいて、前記第２のインシュレーターを球形状に形成し、その一部を前記第１のインシュレーター構成部材の外面から突出させ、他部を前記第１のインシュレーター構成部材内に埋設した。
【００１５】
請求項８の発明は、請求項５の携帯型電子機器のインシュレーターにおいて、前記第１のインシュレーター構成部材と前記第２のインシュレーター構成部材を、高硬度の合成樹脂と、これよりも低硬度の合成樹脂の２色成形により一体的に形成した。
【００１６】
請求項９の発明は、電子部品と電子部品支持体との間に介在されていて前記電子部品にかかる衝撃を吸収する携帯型電子機器のインシュレーターにおいて、前記インシュレーターを、第１のインシュレーター構成部材と、該第１のインシュレーター構成部材よりも低硬度の素材で作られた第２のインシュレーター構成部材と、で構成し、前記第２のインシュレーター構成部材に、前記第１のインシュレーター構成部材の前記電子部品支持体と対向する面から突出して先端部が前記電子部品支持体に接触する電子部品支持体接触部と、前記第１のインシュレーター構成部材の前記電子部品と対向する面から突出して先端部が前記電子部品に接触する電子部品接触部を形成した。
【発明の効果】
【００１７】
請求項１の携帯型電子機器のインシュレーターは、低い衝撃力や高周波振動を前記硬度の低い略半球形状または錐形状の第２のインシュレーター構成部材で吸収するので、前記第１のインシュレーター構成部材で低い衝撃力や高周波振動を吸収する必要がなくなる。従って、前記第２のインシュレーター構成部材には、低い衝撃力や高周波振動を吸収するのに最適な硬度の素材を使用し、前記第１のインシュレーター構成部材には、従来の一体型のインシュレーターにおいては低い衝撃力や高周波振動を吸収するために使用できなかった高硬度の素材を使用することが可能になる。これによって、強い衝撃力が加わった場合でもインシュレーターの撓みを小さくして、より小型の電子機器にも使用可能にすることができる。特に、前記第２のインシュレーター構成部材を略半球形状または円錐係、角錐形、紡錘形等の錐形状に形成し、その一部を電子部品支持体に点接触に近い形で接触させる構成にしたので、面接触させる場合に比べて前記第２のインシュレーター構成部材をより柔軟にして、より低い衝撃力等を効果的に吸収することを可能になる。
【００１８】
請求項２の携帯型電子機器のインシュレーターは、前記第１のインシュレーター構成部材を、断面略コ字状に形成し、該断面略コ字状の第１のインシュレーター構成部材の内周面を前記電子部品の外周面に面接触させたので、前記断面略コ字状の第１のインシュレーター構成部材の内周面で電子部品を確実に保持することができる。そして、前記電子部品支持体の内面に先端部が接触する略半球形状または錐形状の第２のインシュレーター構成部材によって前記電子部品支持体側からの低い衝撃力や高周波振動が前記電子部品に伝達されるのを阻止する。
【００１９】
請求項３の携帯型電子機器のインシュレーターは、前記第２のインシュレーター構成部材が球形状に形成されていて、その一部が前記第１のインシュレーター構成部材から略半球形状に突出し、その先端部が電子部品支持体の内面に接触するようになっていると共に、前記第２のインシュレーターの他部が前記第１のインシュレーター構成部材内に侵入しているので、前記第１のインシュレーター構成部材の表面から前記第２のインシュレーター構成部材を突出させたもの（前記第１のインシュレーター構成部材内に侵入していないもの）に比べて、前記第２のインシュレーターをより柔軟にすることができる。
【００２０】
請求項４の携帯型電子機器のインシュレーターは、前記第１のインシュレーター構成部材と前記第２のインシュレーター構成部材を、２色成形により一体的に形成したので、前記第１のインシュレーター構成部材と前記第２のインシュレーター構成部材を独立別個に形成して、前記第１のインシュレーター構成部材に前記第２のインシュレーター構成部材を取り付ける場合に比べて安価に製造することができる。
【００２１】
請求項５の携帯型電子機器のインシュレーターは、前記請求項１に記載のインシュレーターにおいては、前記第２のインシュレーター構成部材の先端部を電子部品支持体に接触させることにより、該電子部品支持体との間で衝撃や振動を吸収するのに対して、電子部品との間において、前記第２のインシュレーター構成部材によって衝撃や振動を吸収する。
【００２２】
請求項６の携帯型電子機器のインシュレーターは、前記第１のインシュレーター構成部材を、断面略コ字状に形成して、該断面略コ字状の第１のインシュレーター構成部材の外周面を前記電子部品支持体の内周面に面接触させたので、前記電子部品支持体の内周面に前記第１のインシュレーター構成部材を確実に取り付けることができる。そして、前記電子部品の外面に先端部が接触する略半球形状または錐形状の第２のインシュレーター構成部材によって低い衝撃力や高周波振動が前記電子部品に伝達されるのを阻止する。
【００２３】
請求項７の携帯型電子機器のインシュレーターは、球形状に形成された前記第２のインシュレーターの一部が前記第１のインシュレーター構成部材内に侵入しているので、前記第１のインシュレーター構成部材の表面からただ単に前記第２のインシュレーターを突出させたもの（前記第１のインシュレーター構成部材内に侵入していないもの）に比べて、前記第２のインシュレーターをより柔軟にすることができる。
【００２４】
請求項８の携帯型電子機器のインシュレーターは、前記請求項４に記載の携帯型電子機器のインシュレーターと同様に、前記第１のインシュレーター構成部材と前記第２のインシュレーター構成部材を、２色成形により一体的に形成したので、前記第１のインシュレーター構成部材と前記第２のインシュレーター構成部材を独立別個に形成して、前記第１のインシュレーター構成部材に前記第２のインシュレーター構成部材を取り付ける場合に比べて安価に製造することができる。
【００２５】
請求項９の携帯型電子機器のインシュレーターは、前記第２のインシュレーター構成部材を、前記第１のインシュレーター構成部材の前記電子部品支持体と対向する面から突出して一部が前記電子部品支持体に接触する電子部品支持体接触部と、前記第１のインシュレーター構成部材の前記電子部品と対向する面から突出した一部が前記電子部品に点接触する電子部品接触部と、で構成したので、低い衝撃力や高周波振動が前記電子部品支持体から前記第１のインシュレーター構成部材に伝達されるのを前記第２のインシュレーター構成部材の電子部品支持体接触部で吸収し、前記第１のインシュレーター構成部材から前記電子部品に伝達されるのを前記第２のインシュレーター構成部材の電子部品接触部で吸収して、前記第１のインシュレーター構成部材の外周面側と内周面側の２段階で低い衝撃力や高周波振動を吸収して外電子部品に伝達されるのを阻止する。
【発明を実施するための最良の形態】
【００２６】
以下、本発明の携帯型電子機器のインシュレーターを図面を参照して説明する。図１〜図４は、第１の実施の形態の携帯型電子機器のインシュレーターを示す。図１に示すように、前記インシュレーター１は、ハードディスク等の衝撃に弱い電子部品（以下、ハードディスクと総称する）２と、電子部品支持体（以下、ハードディスク支持体と総称する）３との間に介在されていて前記ハードディスク２にかかる衝撃を吸収する。
【００２７】
図２に示すように、前記インシュレーター１は、該インシュレーター１のベース部としての第１のインシュレーター構成部材１１と、該第１のインシュレーター構成部材１１よりも低硬度の素材で作られた第２のインシュレーター構成部材１２と、を備えている。
【００２８】
図３に拡大して示すように、前記第２のインシュレーター構成部材１２は、前記第１のインシュレーター構成部材１１の前記ハードディスク支持体３と対向する面から略半球形状に突出して先端部１２ａが前記ハードディスク支持体３に接触する。
【００２９】
前記第１のインシュレーター構成部材１１は、断面略コ字状に形成されていて、前記ハードディスク２の側部に嵌合すると、対向する一対の第１，第２の辺１１ａ，１１ｂが前記ハードディスク２の側部のインシュレーター取付部２ａの上，下面２ｂ，２ｃに面接触し、前記第１，第２の辺１１ａ，１１ｂの一端部を連結している第３の辺１１ｃが前記ハードディスク２の側面２ｄに接触するようになっている。
【００３０】
図１に示すように、前記第２のインシュレーター構成部材１２は、前記第１のインシュレーター構成部材１１の長さ方向に所定の間隔ｄをもって複数設けられている。前記第２のインシュレーター構成部材１２は、略球形状に形成されていて一部が前記第１のインシュレーター構成部材１１の第１の辺１１ａ，１１ｂの外面から突出し、他部が前記第１のインシュレーター構成部材１１内に埋設されている。
【００３１】
前記第１のインシュレーター構成部材１１と前記第２のインシュレーター構成部材１２は、高硬度の合成樹脂と、これよりも低硬度の合成樹脂の２色成形により一体的に形成されている。
【００３２】
第１の実施の形態のインシュレーター１は、上述のような構成であって、図４に示すように、前記ハードディスク２の側部に外側から被せるように取り付ければ、前記断面略コ字状の第１のインシュレーター構成部材１１の第１，第２の辺１１ａ，１１ｂの内面は、前記ハードディスク２の側部のインシュレーター取付部２ａの上下面２ｂ，２ｃに面接触し、第３の辺１１ｃの内面は、前記ハードディスク２の側面２ｄに面接触して、前記インシュレーター１は、前記ハードディスク２の外周縁部に確実に取り付けられた状態になる。
【００３３】
次に、前記断面略コ字状の第１のインシュレーター構成部材１１をハードディスク支持体３内に取り付ける。ハードディスク支持体３は、断面略コ字状に形成されている。前記インシュレーター１を前記ハードディスク支持体３内に挿入すれば、図３に示すように、前記第１のインシュレーター構成部材１１の対向する第１，第２の辺１１ａ，１１ｂの外面から突出している第２のインシュレーター構成部材１２の先端部１２ａが前記ハードディスク支持体３の内面に点接触に近い状態で接触し、前記第１，第２の辺１１ａ，１１ｂの外面と前記ハードディスク支持体３の内面との間には隙間δが生じる。
【００３４】
従って、前記ハードディスク支持体３側からの低い衝撃力や高周波振動は、前記第２のインシュレーター構成部材１２によって吸収されてハードディスク２に伝達されるのを阻止される。また、前記第２のインシュレーター構成部材１２によって吸収できない強い衝撃力が加わった場合には、前記第１のインシュレーター構成部材１１が撓んで衝撃を吸収するのである。
【００３５】
図５は、第２の実施の形態の携帯型電子機器のインシュレーターを示す。この第２の実施の形態において前記略球形状の第２のインシュレーター構成部材１２は、一部が前記第１のインシュレーター構成部材１１の内面から突出し、他部が前記第１のインシュレーター構成部材１１内に埋設されている。
【００３６】
そして、インシュレーター１をハードディスク２に取り付ければ、前記第１のインシュレーター構成部材１１の第１，第２の辺１１ａ，１１ｂの内面から突出している第２のインシュレーター構成部材１２の先端部１２ａが前記ハードディスク２のインシュレーター取付部２ａの上下面２ｂ，２ｃに接触し、前記第１，第２の辺１１ａ，１１ｂの内面と前記ハードディスク２との間に隙間δが生じる。また、前記インシュレーター１をハードディスク支持体３に挿入すれば前記断面略コ字状の第１のインシュレーター構成部材１１の第１，第２の辺１１ａ，１１ｂの外面は、前記ハードディスク支持体３の内面に面接触し、前記インシュレーター１は、前記ハードディスク支持体３に確実に取り付けられた状態になる。
【００３７】
そして、前記ハードディスク支持体３側からの低い衝撃力や高周波振動は、前記第２のインシュレーター構成部材１２によって吸収されてハードディスク２に伝達されるのを阻止される。また、前記第２のインシュレーター構成部材１２によって吸収できない強い衝撃力が加わった場合には、前記第１のインシュレーター構成部材１１が撓んで衝撃を吸収するのである。他の構成は第１の実施の形態の場合と同じであるので重複する説明は省略する。
【００３８】
図６は、第３の実施の形態の携帯型電子機器のインシュレーターを示す。この第３の実施の形態において前記第２のインシュレーター構成部材１２は、一端側が前記第１のインシュレーター構成部材１１の外面から突出し、他端側が前記第１のインシュレーター構成部材１１の内面から突出し、中央部が前記第１のインシュレーター構成部材１１内に埋設されている。
【００３９】
そして、インシュレーター１をハードディスク２に取り付ければ、前記第１のインシュレーター構成部材１１の対向する第１，第２の辺１１ａ，１１ｂの内面から突出している第２のインシュレーター構成部材１２の先端部が前記ハードディスク２のインシュレーター取付部２ａの上下面２ｂ，２ｃに接触して、前記第１，第２の辺１１ａ，１１ｂの外面と前記ハードディスク２の内面との間には隙間δが生じる。また、前記インシュレーター１をハードディスク支持体３に挿入すれば前記第１，第２の辺１１ａ，１１ｂの外面から突出している第２のインシュレーター構成部材１２の先端部が前記ハードディスク支持体３の内面に接触し、前記第１，第２の辺１１ａ，１１ｂの外面と前記ハードディスク支持体３の内面との間には隙間δが生じる。
【００４０】
そして、前記ハードディスク支持体３側からの低い衝撃力や高周波振動は、前記第２のインシュレーター構成部材１２の内外の両側部において吸収されてハードディスク２に伝達されるのを阻止される。また、前記第２のインシュレーター構成部材１２によって吸収できない強い衝撃力が加わった場合には、前記第１のインシュレーター構成部材１１が撓んで衝撃を吸収するのである。他の構成は第１、第２の実施の形態の場合と同じであるので重複する説明は省略する。
【００４１】
なお、上記第１〜第３の実施の形態においては、第１のインシュレーター構成部材１１をハードディスク２の側部に取り付ける構成にしたが図７に示すように略L字状に形成し、ハードディスク２のコーナー部分に取り付ける構成にしてもよい。また、上記第１〜第３の実施の形態においては、前記第２のインシュレーター構成部材１２を球形状に形成した場合を示したが、前記第２のインシュレーター構成部材１２は、球形状に限らず円錐形状や三角錐形状、四角錐形状、紡錘形状等の錐形状（先端に行くほど尖る形状）であってもよい。また、その大きさは限定されず例えば図８に示すように小さな第２のインシュレーター構成部材１２を第１のインシュレーター構成部材１１の表面側に取り付ける構成にしてもよい。また、図９に示すように、第２のインシュレーター構成部材１２は、第１のインシュレーター構成部材１１の表面から別部材により突出形成したものであってもよい。また、上記第１〜第３の実施の形態においては、ハードディスク２をインシュレーター１により保護する場合を示したが、インシュレーター１により保護される電子部品はハードディスク２に限らず衝撃に弱い電子部品を搭載したプリント基板等であってもよい。
【図面の簡単な説明】
【００４２】
【図１】第１の実施の形態のインシュレーターの使用状態を示す平面図。
【図２】図１のＡ−Ａ断面図。
【図３】図２の拡大図。
【図４】要部の分解斜視図。
【図５】第２の実施の形態のインシュレーターの使用状態を示す平面図。
【図６】第３の実施の形態のインシュレーターの使用状態を示す平面図。
【図７】インシュレーターの変形例の平面図。
【図８】インシュレーターの変形例の断面図。
【図９】インシュレーターの変形例の断面図。
【図１０】従来例のインシュレーターの使用状態を示す平面図。
【図１１】図１０のＡ−Ａ断面図。
【図１２】インシュレーターにシート状の衝撃吸収材を取り付けた断面図。
【符号の説明】
【００４３】
１…インシュレーター、２…ハードディスク（電子部品）、３…ハードディスク支持体（電子部品支持体）、１１…第１のインシュレーター構成部材、１１ａ，１１ｂ，１１ｃ…第１，第２，第３の辺、１２…第２のインシュレーター構成部材。
【図１】
2006153108.tif 000003
【図２】
2006153108.tif 000004
【図３】
2006153108.tif 000005
【図４】
2006153108.tif 000006
【図５】
2006153108.tif 000007
【図６】
2006153108.tif 000008
【図７】
2006153108.tif 000009
【図８】
2006153108.tif 000010
【図９】
2006153108.tif 000011
【図１０】
2006153108.tif 000012
【図１１】
2006153108.tif 000013
【図１２】
2006153108.tif 000014